(57)【要約】【課題】衣類に止着するための止着用粘着剤が裏面シートの衣類当接面に設けられている吸収性物品において、衣類から剥離する際の剥離音を低減することができる吸収性物品を提供することにある。【解決手段】衣類に止着するための止着用粘着剤５が、裏面シート３の衣類当接面に、少なくとも排泄ポイントＡから後方部Ｂに亘って設けられている吸収性物品１であって、止着用粘着剤５の坪量は、排泄ポイントＡから後方部Ｂにかけて漸次高くなっている。止着用粘着剤５の坪量は、排泄ポイントＡから後方部Ｂにかけて連続的に高くなっていることが好ましい。【選択図】図２
2010088939.tif 000002
【特許請求の範囲】
【請求項１】
衣類に止着するための止着用粘着剤が、裏面シートの衣類当接面に、少なくとも排泄ポイントから後方部に亘って設けられている吸収性物品であって、
前記止着用粘着剤の坪量は、前記排泄ポイントから前記後方部にかけて漸次高くなっている吸収性物品。
【請求項２】
前記止着用粘着剤の坪量は、前記排泄ポイントから前記後方部にかけて連続的に高くなっている請求項１記載の吸収性物品。
【請求項３】
前記止着用粘着剤は、前記衣類当接面に、前方部から前記後方部に亘って設けられており、その坪量が、該前方部から該後方部にかけて漸次高くなっている請求項１又は２に記載の吸収性物品。
【請求項４】
前記止着用粘着剤は、前記衣類当接面に、前方部から前記後方部に亘って設けられており、その坪量が、該前方部から前記排泄ポイントにかけて漸次低くなっている請求項１又は２に記載の吸収性物品。
【請求項５】
前記止着用粘着剤の幅は、前記排泄ポイントから前記後方部にかけて漸次狭くなっている請求項１〜４の何れかに記載の吸収性物品。
【請求項６】
衣類に止着するための止着用粘着剤が、裏面シートの衣類当接面に、少なくとも排泄ポイントから後方部に亘って設けられている吸収性物品であって、
前記止着用粘着剤の幅は、前記排泄ポイントから前記後方部にかけて漸次狭くなっている吸収性物品。
【請求項７】
前記止着用粘着剤の幅は、前記排泄ポイントから前記後方部にかけて連続的に狭くなっている請求項６記載の吸収性物品。
【請求項８】
前記止着用粘着剤は、前記衣類当接面に、前方部から前記後方部に亘って設けられており、その幅が、該前方部から該後方部にかけて漸次狭くなっている請求項６又は７に記載の吸収性物品。
【請求項９】
前記止着用粘着剤は、前記衣類当接面に、前方部から前記後方部に亘って設けられており、その幅が、該前方部から前記排泄ポイントにかけて漸次広くなっている請求項６又は７に記載の吸収性物品。
【発明の詳細な説明】
【技術分野】
【０００１】
本発明は、下着等の衣類に止着されて用いられる吸収性物品に関する。
【背景技術】
【０００２】
下着に止着するための止着用粘着剤が裏面シートの外面に設けられた吸収性物品が知られている。このような吸収性物品は、止着用粘着剤を利用して下着に止着され、使用後に下着から剥離されて廃棄される。また、止着用粘着剤の形状等を工夫した吸収性物品も知られている。例えば、特許文献１には、幅方向に長い帯状の粘着剤を長手方向に所定ピッチで多数配列して、この集合体から止着用粘着剤を形成した生理用ナプキンが開示されている。
【先行技術文献】
【特許文献】
【０００３】
【特許文献１】特開２００３−１０２４５号公報
【発明の概要】
【発明が解決しようとする課題】
【０００４】
ところで、止着用粘着剤を有する吸収性物品を下着から剥離する際に不快な剥離音が発生し易い。
しかしながら、止着用粘着剤の形状等を工夫することにより、吸収性物品を下着から剥離する際の剥離音を低減させる技術は知られていない。特に、特許文献１記載の生理用ナプキンにおいては、止着用粘着剤が、幅方向に長い帯状の粘着剤を長手方向に所定ピッチで多数配列して形成されたものであるため、生理用ナプキンを下着から剥離する際に、大きく不規則的な剥離音が発生し易い。
【０００５】
従って、本発明の目的は、衣類に止着するための止着用粘着剤が裏面シートの衣類当接面に設けられている吸収性物品において、衣類から剥離する際の剥離音を低減することができる吸収性物品を提供することにある。
【課題を解決するための手段】
【０００６】
本発明は、衣類に止着するための止着用粘着剤が、裏面シートの衣類当接面に、少なくとも排泄ポイントから後方部に亘って設けられている吸収性物品であって、前記止着用粘着剤の坪量は、前記排泄ポイントから前記後方部にかけて漸次高くなっている吸収性物品（以下「第１発明」ともいう）を提供することにより前記目的を達成したものである。
また、本発明は、衣類に止着するための止着用粘着剤が、裏面シートの衣類当接面に、少なくとも排泄ポイントから後方部に亘って設けられている吸収性物品であって、前記止着用粘着剤の幅は、前記排泄ポイントから前記後方部にかけて漸次狭くなっている吸収性物品（以下「第２発明」ともいう）を提供することにより前記目的を達成したものである。
【発明の効果】
【０００７】
本発明の吸収性物品によれば、衣類に止着するための止着用粘着剤が裏面シートの衣類当接面に設けられている吸収性物品において、衣類から剥離する際の剥離音を低減することができる。
【図面の簡単な説明】
【０００８】
【図１】図１は、本発明の吸収性物品の第１実施形態としての生理用ナプキンを示す平面図である。
【図２】図２（ａ）は、第１実施形態の生理用ナプキンの模式的底面図であり、図２（ｂ）は、止着用粘着剤の厚み方向形状を示す模式図である。
【図３】図３（ａ）〜（ｃ）は、それぞれ、第１実施形態の生理用ナプキンにおける止着用粘着剤の厚み方向形状の変形例を示す模式図〔図２（ｂ）相当図〕である。
【図４】図４は、本発明の吸収性物品の第２実施形態としての生理用ナプキンを示す模式的底面図〔図２（ａ）相当図〕である。
【図５】図５は、第２実施形態の生理用ナプキンにおける止着用粘着剤５の幅方向形状の変形例を示す模式的底面図〔図２（ａ）相当図〕である。
【図６】図６は、第２実施形態の生理用ナプキンにおける止着用粘着剤５の幅方向形状の別の変形例を示す模式的底面図〔図２（ａ）相当図〕である。
【発明を実施するための形態】
【０００９】
以下、本発明の吸収性物品を、その第１実施形態に基づき図面を参照しながら説明する。本発明は、下着等の衣類に止着されて用いられる吸収性物品である。
第１実施形態の吸収性物品は、第１発明の実施形態としての生理用ナプキン１であり、図１及び図２に示すように、縦長の吸収性本体１１と、吸収性本体１１の各側縁部からそれぞれ側方に延出する一対のウイング部１２，１２とを備えている。
【００１０】
吸収性本体１１は、着用者の肌と当接する液透過性の表面シート２と、下着等の衣類と当接する液不透過性又は液難透過性の裏面シート３とを備えている。両シート２，３間には液保持性の吸収体４が介在配置されている。
吸収体４は、長手方向両端部近傍を除き、等幅となっている。表面シート２及び裏面シート３は、吸収体４の周縁から外方へ延出しており、その延出部において互いに接合されてシール部１３を形成している。ウイング部１２も、表面シート２及び裏面シート３の延出部から構成されている。
【００１１】
表面シート２、裏面シート３及び吸収体４としては、当該技術分野において通常用いられている材料を特に制限なく、用いることができる。
表面シート２としては、例えば、親水化処理が施された各種不織布や開孔フィルム等の液透過性のシートを用いることができる。裏面シート３としては、例えば、熱可塑性樹脂のフィルムや、該フィルムと不織布とのラミネート等の液不透過性又は撥水性のシートを用いることができ、水蒸気透過性を有するものを用いることもできる。吸収体４としては、例えば、パルプ繊維を堆積させて得られた積繊層、パルプ繊維／レーヨン繊維を原料とする不織布からなるものを用いることができる。
【００１２】
裏面シート３の衣類当接面（外表面）には、図２（ａ）に示すように、衣類に止着するための止着用粘着剤５が、少なくとも排泄ポイントＡから後方部Ｂに亘って設けられている。本実施形態においては、止着用粘着剤５は、前方部Ｃから後方部Ｂに亘って設けられている。
「排泄ポイントＡ」とは、吸収性本体１１における、着用者の排泄部と対向する設計上の領域であり、「後方部Ｂ」及び「前方部Ｃ」とは、それぞれ、吸収性本体１１における、排泄ポイントＡよりも後方の領域及び前方の領域である。
【００１３】
止着用粘着剤５の坪量は、排泄ポイントＡから後方部Ｂにかけて漸次高くなっており、詳細には連続的に高くなっている。このように止着用粘着剤５の坪量を高くするには、図２（ｂ）に示すように、止着用粘着剤５の厚みを厚くすればよい。反対に、止着用粘着剤５の坪量を部分的に低くするには、図３（ａ）に示すように、止着用粘着剤５の厚みを薄くすればよい（詳細は後述）。従って、止着用粘着剤５の厚みの大小は、止着用粘着剤５の坪量の高低を示している。
【００１４】
「漸次高くなっている」とは、止着用粘着剤５を巨視的にみて、止着用粘着剤５の坪量が少しずつ高くなっていることを意味する。止着用粘着剤５には、第１発明の効果を阻害しない範囲で、その一部に坪量一定の領域が存在していてもよく、その一部が長手方向に非連続となっていてもよい。
また、「連続的に高くなっている」とは、「漸次高くなっている」形態のうち、長手方向に非連続ではない形態（文字通り、連続的な形態）を意味する。
【００１５】
本実施形態においては、図２（ｂ）に示すように、止着用粘着剤５の坪量は、前方部Ｃから後方部Ｂにかけて漸次高くなっており、詳細には連続的に高くなっている。止着用粘着剤５の幅は一定である。
【００１６】
止着用粘着剤５としては、その種類には特に制限はないが、主に天然ゴム類似の基本構造を有する合成ゴム系のブロック共重合体を用いることが好ましい。そのようなブロック共重合体としては、例えばスチレン−イソプレン−スチレンブロック共重合体（ＳＩＳ）、スチレン−エチレン−プロピレン−エチレン共重合体（ＳＥＰＳ）、スチレン−ブタジエン−スチレンブロック共重合体（ＳＢＳ）、スチレン−エチレン−ブチレン−エチレン共重合体（ＳＥＢＳ）等が挙げられる。止着用粘着剤５は、これらのブロック共重合体から選択される一種又は二種以上のベースポリマーを１０〜６５重量％、特に３０〜５０重量％含むことが好ましい。
【００１７】
止着用粘着剤５の塗工方法には特に制限はない。接触式の塗工方法又は非接触式の塗工方法の何れでもよい。接触式の塗工方法としては、例えばコーター方式が挙げられる。非接触式の塗工方法としては、例えばスロットスプレー方式が挙げられる。塗工方法や塗工条件によっては、微視的にみて、止着用粘着剤５が全面的に塗工されない場合がある。例えば、粘着剤をスパイラル形状で塗工位置を少しずつずらしながら塗工すると、未塗工領域を完全になくすことは極めて困難である。しかしながら、未塗工領域があっても巨視的にみて全面的と同視できる程度に塗工されていれば、全面的に塗工されているものとする。
【００１８】
ウイング部１２の衣類当接面には、ウイング部粘着剤６が設けられている。ウイング部１２は、吸収性本体１１の衣類当接面を止着用粘着剤５を利用して衣類に止着した状態で、吸収性本体１１の衣類当接面側（衣類側）に折り返し、ウイング部粘着剤６を利用して衣類に止着し、衣類に対する生理用ナプキン１全体の止着力を向上させるものである。
【００１９】
第１実施形態の生理用ナプキン１において、止着用粘着剤５の坪量を漸次高くする形態は、図２（ｂ）に示す形態に制限されない。以下に止着用粘着剤５の形態の変形例を示す。止着用粘着剤５の形態を変更した生理用ナプキン１においても、図２に示す止着用粘着剤５を有する生理用ナプキン１と同様の効果が奏される。
図３（ａ）に示す止着用粘着剤５の坪量は、前方部Ｃから排泄ポイントＡにかけて漸次低くなっており、詳細には連続的に低くなっている。また、該坪量は、排泄ポイントＡから後方部Ｂにかけて漸次高くなっており、詳細には連続的に高くなっている。
【００２０】
図３（ｂ）に示す止着用粘着剤５の坪量は、前方部Ｃから排泄ポイントＡにかけて漸次高くなっており、詳細には連続的に高くなっている。また、該坪量は、後方部Ｂにおいて一定となっている。
図３（ｃ）に示す止着用粘着剤５の坪量は、前方部Ｃから排泄ポイントＡにかけて一定となっている。また、該坪量は、排泄ポイントＡから後方部Ｂにかけて漸次高くなっており、詳細には連続的に高くなっている。
【００２１】
第１実施形態の生理用ナプキン１によれば、止着用粘着剤５の坪量が、排泄ポイントＡから後方部Ｂにかけて漸次高くなっているため、止着用粘着剤５の粘着力は、排泄ポイントＡから後方部Ｂに向かって徐々に高くなっている。そのため、例えば、生理用ナプキン１をショーツのクロッチ部から剥離する際に剥離速度が徐々に遅くなるため、剥離音を低減することができる。止着用粘着剤５の坪量が連続的に高くなっていると剥離速度の変化が一層スムーズとなるため、剥離音を一層低減することができる。
【００２２】
なお、剥離速度に変化を生じさせ、剥離音を低下させるには、止着用粘着剤５の粘着力は、１００ｃＮ／５０ｍｍ〜８００ｃＮ／５０ｍｍが好ましく、１５０ｃＮ／５０ｍｍ〜６００ｃＮ／５０ｍｍがより好ましく、２００ｃＮ／５０ｍｍ〜４００ｃＮ／５０ｍｍが更に好ましい。粘着力が１００ｃＮ／５０ｍｍ未満では、下着への固定性に乏しく、ヨレ／ズレ／交換時の脱落などが起こり易く、粘着力が８００ｃＮ／５０ｍｍを超えると、使用後に下着から外すことが困難となる。また、１個の生理用ナプキンにおける止着用粘着剤５の最小粘着力と最大粘着力との差は、７０ｃＮ〜６００ｃＮが好ましく、１００ｃＮ〜３００ｃＮがより好ましい。かかる差が小さい場合には、剥離速度に変化を与えることが困難であり、かかる差が大きい場合には、剥離が容易に行えなくなる。
【００２３】
止着用粘着剤の粘着力の測定は、テンシロン引張試験機（株式会社エー・アンド・デイ製、型式ＲＴＣ−１２１０Ａ）を使用し、チャック間５０ｍｍ、試験速度３００ｍｍ／分で行う。サンプルは、吸収性物品（生理用ナプキン）又はその裏面シートのみを幅方向５０ｍｍ×長手方向２００ｍｍの矩形状に切断した後、切断されたものを止着用粘着剤によりカナキン３号（日本規格協会製、７０ｍｍ×２５０ｍｍ）に貼り付けて、その上面に２ｋｇの円筒型の圧着ロールを１往復させて、カナキン３号に固着して得る。得られたサンプルは、裏面シートとカナキン３号の端部を異なるチャックに固定して測定を行う。止着用粘着剤の（最大）幅が５０ｍｍではない場合は、測定値を幅５０ｍｍに換算する。また、最小粘着力及び最大粘着力は、それぞれ止着用粘着剤が塗布されている部位における最小値及び最大値とする。
【００２４】
次に、第２発明の吸収性物品の一実施形態である第２実施形態について図面を参照しながら説明する。第２実施形態については、第１実施形態と異なる点を中心に説明する。特に説明しない点については、第１実施形態についての説明が適宜適用される。同じ部材については同じ符号を付し、説明を省略する。
第２実施形態の吸収性物品は、第１実施形態と同様に生理用ナプキンであり、止着用粘着剤５の形態が異なる以外は、第１実施形態と同様の構成を有している。
【００２５】
第２実施形態の生理用ナプキン１は、図４に示すように、止着用粘着剤５が、少なくとも排泄ポイントＡから後方部Ｂに亘って設けられている。本実施形態においては、止着用粘着剤５は、前方部Ｃから後方部Ｂに亘って設けられている。
止着用粘着剤５の幅は、排泄ポイントＡから後方部Ｂにかけて漸次狭くなっており、詳細には連続的に狭くなっている。
【００２６】
「漸次狭くなっている」とは、止着用粘着剤５を巨視的にみて、止着用粘着剤５の幅が少しずつ狭くなっていることを意味する。止着用粘着剤５には、第２発明の効果を阻害しない範囲で、その一部に幅一定の領域が存在していてもよく、その一部が長手方向に非連続となっていてもよい。
また、「連続的に狭くなっている」とは、「漸次狭くなっている」形態のうち、長手方向に非連続ではない形態（文字通り、連続的な形態）を意味する。
【００２７】
本実施形態においては、止着用粘着剤５の幅は、前方部Ｃから後方部Ｂにかけて漸次狭くなっており、詳細には連続的に狭くなっている。更に具体的には、止着用粘着剤５は、底辺が前方部Ｃに位置し、二等辺からなる頂点が後方部Ｂに位置する二等辺三角形状である。
止着用粘着剤５の坪量は一定となっている。即ち、止着用粘着剤５の厚みは一定となっている。
【００２８】
第２実施形態の生理用ナプキン１によれば、止着用粘着剤５の幅が、排泄ポイントＡから後方部Ｂにかけて漸次狭くなっているため、例えば、生理用ナプキン１をショーツのクロッチ部から剥離する際にスムーズに剥離させることができ、剥離音を低減することできる。止着用粘着剤５の幅が連続的に狭くなっていると一層スムーズに剥離することができるので、剥離音を一層低減することができる。
【００２９】
第２実施形態の生理用ナプキン１において、止着用粘着剤５の幅を漸次狭くする形態は、図４に示す形態に制限されない。以下に止着用粘着剤５の形態の変形例を示す。止着用粘着剤５の形態を変更した生理用ナプキン１においても、図４に示す生理用ナプキン１と同様の効果が奏される。
【００３０】
図５に示す止着用粘着剤５は、その内側に未塗工領域があり、いわゆる中抜き形状となっている。具体的には、図４に示す二等辺三角形状の止着用粘着剤５について、その外形形状と相似形の小さい二等辺三角形状の未塗工領域５１が存在している。また、換言すると、等幅の二等辺三角形の枠からなる中抜き形状を有している。
尚、このような中抜き形状の止着用粘着剤５における「幅」は、その全体の外形形状における幅を意味する。
図５に示す止着用粘着剤５を有する生理用ナプキン１によれば、生理用ナプキン１を、ショーツのクロッチ部から長手方向に対し斜め方向に剥離したとしても、剥離を阻害する粘着力（剥離方向に直交する方向の止着用粘着剤５の塗工領域の幅にほぼ比例する）がほとんど変わらないため、スムーズに剥離することができ、剥離音がほとんど増加しない。
【００３１】
図６に示す止着用粘着剤５の幅は、前方部Ｃから排泄ポイントＡにかけて漸次広くなっており、詳細には連続的に広くなっている。また、該幅は、排泄ポイントＡから後方部Ｂにかけて漸次狭くなっており、詳細には連続的に狭くなっている。
【００３２】
次に、第１発明の特徴と第２発明の特徴を兼ね備えた第３実施形態の生理用ナプキンについて説明する。
前述したように、第１発明の一実施形態である第１実施形態においては、止着用粘着剤５の幅は一定であるが、止着用粘着剤５の坪量を排泄ポイントＡから後方部Ｂにかけて漸次高くすることにより、前述の効果を奏させている。また、第２発明の一実施形態である第２実施形態においては、止着用粘着剤５の坪量は一定であるが、止着用粘着剤５の幅を排泄ポイントＡから後方部Ｂにかけて漸次狭くすることにより、前述の効果を奏させている。
【００３３】
本発明においては、このような第１発明の特徴と第２発明の特徴とを兼ね備えた構成とすることができる。即ち、第１発明の特徴と第２発明の特徴を兼ね備えた第３実施形態の生理用ナプキンは、止着用粘着剤Ａの坪量が、排泄ポイントＡから後方部Ｂにかけて漸次高くなっていると共に、止着用粘着剤５の幅が、排泄ポイントＡから後方部にかけて漸次狭くなっている。
このような第３実施形態においては、図２、図３に示す第１実施形態及びその変形例並びに図４〜図６に示す第２実施形態及びその変形例の各構成を適宜組み合わせることができる。
【００３４】
第３実施形態において、第１実施形態の各構成と第２実施形態の各構成との組み合わせには特に制限はないが、製造面から特に好ましい組み合わせとしては、下記の組み合わせが挙げられる。
第１の組み合わせとしては、止着用粘着剤５の幅が、図４に示すように前方部Ｃから後方部Ｂにかけて連続的に狭くなっており、止着用粘着剤５の坪量が、図２（ｂ）に示すように前方部Ｃから後方部Ｂにかけて連続的に高くなっている組み合わせがある。
【００３５】
第２の組み合わせとしては、止着用粘着剤５の幅が、図６に示すように前方部Ｃから排泄ポイントＡにかけて連続的に広くなっており且つ排泄ポイントＡから後方部Ｂにかけて連続的に狭くなっており、止着用粘着剤５の坪量が、図３（ａ）に示すように前方部Ｃから排泄ポイントＡにかけて連続的に低くなっており且つ排泄ポイントＡから後方部Ｂにかけて連続的に高くなっている組み合わせがある。
【００３６】
第３実施形態において、前記の第１の組み合わせ及び第２の組み合わせが製造面で好ましい理由は、以下の通りである。
粘着剤の塗工装置において、その塗工幅を増減する構成としては、粘着剤の吐出口への供給速度を一定にしたまま、吐出口の幅を増減する構成が好ましく用いられている。このような構成の粘着剤の塗工装置を用いて、図４に示すように、止着用粘着剤５を、その幅が連続的に狭くなるように塗工すると、結果的に、図２（ｂ）に示すように坪量が連続的に高くなる。
【００３７】
同様に、このような粘着剤の塗工装置を用いて、図６に示すように、止着用粘着剤５を、前方部Ｃから排泄ポイントＡにかけてその幅が連続的に広くなるように塗工し、排泄ポイントＡから後方部Ｂにかけてその幅が連続的に狭くなるように塗工すると、結果的に、図３（ａ）に示すように、前方部Ｃから排泄ポイントＡにかけて止着用粘着剤５の坪量が連続的に低くなり、排泄ポイントＡから後方部Ｂにかけて止着用粘着剤５の坪量が連続的に高くなる。
このように、第１の組み合わせ及び第２の組み合わせによれば、粘着剤の塗工装置についてその構成や塗工工程に格別な工夫を施すことなく、第３実施形態の生理用ナプキン１における止着用粘着剤５を所定の形態に塗工することができる。
【００３８】
一方、図５に示す中抜き形状の止着用粘着剤５を塗工する場合には、塗工幅はほぼ一定である。そのため、吐出口の幅を一定にしたまま、粘着剤の吐出口への供給速度を増減可能な粘着剤の塗工装置が好ましく用いられる。粘着剤の吐出口への供給速度を低くすればそれに対応して粘着剤の坪量が低くなり、該供給速度を高くすればそれに対応して粘着剤の坪量が高くなる。従って、図５に示す中抜き形状の止着用粘着剤５を塗工する場合には、止着用粘着剤５の坪量を、図２（ｂ）及び図３（ａ）〜（ｃ）に示す何れの形態でも容易に変化させることができる。
【００３９】
このように構成された第３の実施形態の生理用ナプキン１によれば、第１実施形態（第１発明）の効果及び第２実施形態（第２発明）の効果とが相乗的に奏されるため、一層好ましい。
【００４０】
以上、本発明の吸収性物品をその好ましい実施形態に基づき説明したが、本発明の吸収性物品は、前記実施形態に制限されることなく、適宜変更が可能である。
本発明の吸収性物品が止着される衣類は、ショーツ等の下半身用の下着に制限されず、例えば、他の使い捨ておむつ、シャツ等の上半身用の下着でもよい。
本発明は、生理用ナプキンに制限されず、例えば、パンティライナー、失禁ライナー、失禁パッドにも適用することができる。それ以外にも、使い捨ておむつの内側に固定して用いられる尿パッドや、シャツ等に固定して用いられる母乳パッドにも適用することができる。
本発明の吸収性物品には、その具体的な用途に応じて各種部材を具備していてもよい。例えば、生理用ナプキンや失禁パッドに適用する場合には、吸収性物品の左右両側部に一対の立体ガードを設けることができる。
【符号の説明】
【００４１】
１  生理用ナプキン（吸収性物品）
１１  吸収性本体
１２  ウイング部
１３  シール部
２  表面シート
３  裏面シート
４  吸収体
５  止着用粘着剤
６  ウイング部粘着剤
【図１】
2010088939.tif 000003
【図２】
2010088939.tif 000004
【図３】
2010088939.tif 000005
【図４】
2010088939.tif 000006
【図５】
2010088939.tif 000007
【図６】
2010088939.tif 000008
【手続補正書】
【提出日】平成22年1月26日(2010.1.26)
【手続補正１】
【補正対象書類名】特許請求の範囲
【補正対象項目名】全文
【補正方法】変更
【補正の内容】
【特許請求の範囲】
【請求項１】
衣類に止着するための止着用粘着剤が、裏面シートの衣類当接面に、少なくとも排泄ポイントから後方部に亘って設けられている吸収性物品であって、
前記止着用粘着剤の幅は、前記排泄ポイントから前記後方部にかけて漸次狭くなっている吸収性物品。
【請求項２】
前記止着用粘着剤の幅は、前記排泄ポイントから前記後方部にかけて連続的に狭くなっている請求項１記載の吸収性物品。
【請求項３】
前記止着用粘着剤は、前記衣類当接面に、前方部から前記後方部に亘って設けられており、その幅が、該前方部から該後方部にかけて漸次狭くなっている請求項１又は２に記載の吸収性物品。
【請求項４】
前記止着用粘着剤は、前記衣類当接面に、前方部から前記後方部に亘って設けられており、その幅が、該前方部から前記排泄ポイントにかけて漸次広くなっている請求項１又は２に記載の吸収性物品。
【手続補正２】
【補正対象書類名】明細書
【補正対象項目名】０００６
【補正方法】変更
【補正の内容】
【０００６】
本発明は、衣類に止着するための止着用粘着剤が、裏面シートの衣類当接面に、少なくとも排泄ポイントから後方部に亘って設けられている吸収性物品であって、前記止着用粘着剤の坪量は、前記排泄ポイントから前記後方部にかけて漸次高くなっている吸収性物品（以下「第１発明」ともいう）を提供することにより前記目的を達成したものである。第１発明は、参考例である。
また、本発明は、衣類に止着するための止着用粘着剤が、裏面シートの衣類当接面に、少なくとも排泄ポイントから後方部に亘って設けられている吸収性物品であって、前記止着用粘着剤の幅は、前記排泄ポイントから前記後方部にかけて漸次狭くなっている吸収性物品（以下「第２発明」ともいう）を提供することにより前記目的を達成したものである。